(57)【特許請求の範囲】
【請求項１】
容器本体と容器本体装着される蛇口機構部と、前記容器本体の上方開口部に装着される断熱蓋体と、前記断熱蓋体を容器本体に装着するヒンジ機構部と、容器本体の周面対向箇所に基部を枢結して、容器外周方向に倒伏可能とした回動持ち手と、蓋体の開放を阻止する係止機構部とで構成され、前記容器本体が、内外二重のステンレス製容器で、容器体側面下方に内外容器を貫通する貫通孔を穿設して貫通孔周壁を密封した後、内外容器の間の空間の脱気を行って形成したステンレス製真空二重構造であって、上部に蓋体を装着するヒンジ機構部の一方を組み込む樹脂製リング体を装着し、下部に足板を装着して折り畳み脚を設けてなり、蛇口機構部を前記貫通孔に装着し、前記蓋体を、底板と上板からなる適宜な厚さの二重構造体とし、中空部分には断熱材を充填し、上板中央部分に凹部を形成し、前記凹部内にコップを収納すると共に、凹部にカバー部を着脱自在に取り付けてなるもので、ヒンジ機構部を、蓋体を容器本体に煽り開閉可能に連結すると共に、開放状態時に蓋体を分離可能に形成し、係止機構部を、回動持ち手に対面する蓋体側面及び回動持ち手内面に設けて互いに係合する係合凹凸部と、前記係合凹部と連設して、回動持ち手を所定角度に倒伏した位置でのみ、蓋体の開放方向において係合が解除される逃げ凹部とで形成してなることを特徴とする携帯用液体容器。
【発明の詳細な説明】
【０００１】
【産業上の利用分野】
本発明は、多量の飲料を保温携帯するための携帯用液体容器に関するものである。
【０００２】
【従来技術及び発明が解決しようとする課題】
保温機能を備えた携帯用液体容器は、水筒タイプの物品が広く使用されているが、基本的には個人或いは少人数用であり、保温容器自体を傾けて飲料をコップに注ぐようにして使用される。しかし多量の飲料を携帯する大型容器では、容器自体を傾斜させるのは困難であるので、容器下方に蛇口を設けた設置使用タイプの携帯用容器が知られている。
【０００３】
具体的には、特開２００１−７８９０３号公報で開示されているとおり、断熱構造の容器本体と蓋体とで構成され、容器本体の下方側面に蛇口機構が設けられている。
【０００４】
ところで前記の公知の携帯用液体容器は、薄金属板製或いは樹脂製の内外容器の間に断熱材を充填する構造が一般的である。しかしこのような断熱構造を採用している容器は、飲料保冷時は予め畜冷体となる氷を使用するので、保冷効果が持続するが、蓄熱体を採用できない飲料保温時には、保温効果の持続が期待できない。また不用意な蓋体の解放は保温保冷効果を損なう。
【０００５】
そこで本発明は、保温保冷効果が優れた新規な携帯用液体容器を提案し、併せて使用時や携帯時に蓋体が不用意に解放されないような構造の容器を提案したものである。
【０００６】
【課題を解決する手段】
本発明に係る携帯用液体容器は、容器本体と容器本体装着される蛇口機構部と、前記容器本体の上方開口部に装着される断熱蓋体と、前記断熱蓋体を容器本体に装着するヒンジ機構部と、容器本体の周面対向箇所に基部を枢結して、容器外周方向に倒伏可能とした回動持ち手と、蓋体の開放を阻止する係止機構部とで構成され、前記容器本体が、内外二重のステンレス製容器で、容器体側面下方に内外容器を貫通する貫通孔を穿設して貫通孔周壁を密封した後、内外容器の間の空間の脱気を行って形成したステンレス製真空二重構造であって、上部に蓋体を装着するヒンジ機構部の一方を組み込む樹脂製リング体を装着し、下部に足板を装着して折り畳み脚を設けてなり、蛇口機構部を前記貫通孔に装着したものであり、前記蓋体を、底板と上板からなる適宜な厚さの二重構造体とし、中空部分には断熱材を充填し、上板中央部分に凹部を形成し、前記凹部内にコップを収納すると共に、凹部にカバー部を着脱自在に取り付けてなるものである。
【０００７】
従ってステンレス製真空二重構造の容器本体に断熱蓋体を装着してなり、従前の断熱材使用の容器よりも断熱効果が優れ、且つ軽量である。更に容器本体の周面対向箇所に基部を枢結して、容器外周方向に倒伏可能とした回動持ち手を設け、容器本体底面に折り畳み脚を設けてなるもので、携帯に便利で、使用に際して蛇口下方にコップを位置し易くなるものである。
【０００８】
さらに本発明は、ヒンジ機構部を、蓋体を容器本体に煽り開閉可能に連結すると共に、開放状態時に蓋体を分離可能に形成し、係止機構部を、回動持ち手に対面する蓋体側面及び回動持ち手内面に設けて互いに係合する係合凹凸部と、前記係合凹部と連設して、回動持ち手を所定角度に倒伏した位置でのみ、蓋体の開放方向において係合が解除される逃げ凹部とで形成してなるものである。
【０００９】
従って携帯時の持ち手が起立した状態では蓋体の開放がなく、蓋体開放は回動持ち手を所定角度に倒伏した状態で行われ、且つ蓋体開放時にヒンジ部分を分離して蓋体を容器本体と分離できるので、洗浄も容易に行うことができる。
【００１０】
【実施の形態】
次に本発明の実施の形態について説明する。実施形態に示した携帯用液体容器は、容器本体１と、蛇口機構部２と、蓋体３と、回動持ち手４と、容器本体１と蓋体３とを連結するヒンジ機構５と、蓋体３の開放を阻止する係止機構部６とで構成される。
【００１１】
容器本体１は、内外二重のステンレス製容器１１，１２からなり、特に容器体側面下方に内外容器１１，１２を貫通する貫通孔１３を穿設し、貫通孔１３の周壁を密封した後、内外容器１１，１２の間の空間の脱気を行い、真空二重構造とする。然る後上部に樹脂製リング体１４を装着し、下部に折り畳み脚１５を付設した足板１６を装着してなる。
【００１２】
蛇口機構部２は、前記貫通孔１３に装着する本体２１を備えてなり、本体２１は貫通孔１３に挿通する挿着管２１１と、注ぎ口２１２と、弁収納部２１３からなり、挿着管２１１を貫通孔１３に挿通させ、内容器１１内でＯリング２２と止着ナット２３で容器本体１に固定させる。更に挿着管２１１と注ぎ口２１２の連通を開閉する弁機構を設けたもので、本体２１内に弁体２４を内装し、弁体２４の閉塞付勢力を付与する発条２５を、前記弁体２４と操作レバー２６の間に介装し、本体２１などを被覆すると共に、操作レバー２６の支持体となるカバー体２７を外容器１２に固着してなる。
【００１３】
蓋体３は、内容器１１に密嵌する底板３１と、上板３２からなる適宜な厚さの二重構造体で、中空部分には断熱材３３を充填すると共に、特に上板中央部分は凹部３４として、当該凹部３４にカバー部３５を着脱自在に取り付けると共に、凹部３４内にコップ３６を収納してなる。更に外周部分には、後述するヒンジ機構並びに係止機構の構成部を付設してなる。
【００１４】
回動持ち手４は、下部開口のコの字状や或いは逆Ｕ字状で、端部を容器本体１のリング体１４に枢結してなる。
【００１５】
ヒンジ機構５は、容器本体１のリング体１４に下方の一部を開口した受鉤部５１を突設し、蓋体３のヒンジ位置に、前記受鉤部５１への掛け止めができ、且つ開口部からの出入りが可能な径のヒンジ軸部５２を突設すると共に、蓋体３の閉塞時に受鉤部５１の外周部分を被覆する形態となる抜け止め部５３を設けてなる。
【００１６】
係止機構部６は、回動持ち手４と対面する蓋体３の側面（枢結軸近傍）に設けた突起６１と、前記突起６１が進入状態となって回動持ち手４の回動操作に突起６１が邪魔にならない係合凹部（枢結軸と同心円の凹部）６２とを備え、更に回動持ち手４を所定の角度に倒伏した位置で、蓋体３の開放方向に突起６１が移動できる逃げ凹部６３を係合凹部６２に連設してなる。
【００１７】
而して容器本体１内に、冷たい飲料或いは温かい飲料を収納して携帯し、折り畳み脚１５を立脚して所望箇所に設置し、注ぎ口２１２の下方にコップを位置させ、操作レバー２６の操作で、コップに飲料を注ぎ入れ、喫飲に供するものである。
【００１８】
特に容器本体１をステンレス製真空二重容器を採用したものであるから、堅牢で且つ保温性、保冷性に優れているので、屋外への飲料携帯に便利である。
【００１９】
また蓋体３はヒンジ機構５で容器本体１に連結されているので、容器本体１への飲料供給は、蓋体３の煽り回動によって容器本体１の上部を開放して行われるが、前記実施形態では、係止機構部６を採用することで、飲料供給時以外に不意に蓋体３が開かないようにしている。
【００２０】
即ち蓋体３の側面に設けた突起６１が回動持ち手４に設けた係合凹部６２内に位置しているので、回動持ち手４を所定角度に倒伏した状態以外には、蓋体３の解放がなされない。特に携帯時には回動持ち手４を持って運搬携帯することになるので、当該時に蓋体３は絶対に開放されない。
【００２１】
また容器本体１と蓋体３との連結をなしているヒンジ機構５は、図８（イ）に例示するとおりヒンジ軸部５２を受鉤部５１の鉤状部分に掛け止めすると、ヒンジ軸部５２を中心に蓋体３を回動して開閉することができ、抜け止め部５３によってヒンジ軸部５２の受鉤部５１からの離脱が防止される。そして蓋体３を全開すると同図（ロ）に例示するとおり、ヒンジ軸部５２を受鉤部５１の下方開口部からの離脱を可能としたものである。従って洗浄に際して蓋体３が邪魔にならない利点がある。
【００２２】
【発明の効果】
以上のように本発明は、下方側面に貫通孔を備えたステンレス製真空二重構造の容器本体を形成すると共に、前記貫通孔に蛇口機構を装着し、容器本体の上方開口部に断熱蓋体を装着してなる携帯用液体容器で、従前の断熱材使用の容器よりも断熱効果が優れ、且つ軽量で、機能性に優れた商品を提供できたものである。
【図面の簡単な説明】
【図１】本発明の実施形態の全体外観図。
【図２】同蓋体開放状態の全体外観図。
【図３】同全体の断面図。
【図４】同蛇口機構の分解斜視図。
【図５】同蛇口機構の断面図で（イ）は弁閉塞時（ロ）は弁開放時を示す。
【図６】同蛇口機構の外観図。
【図７】同係止機構部の動作説明図で（イ）は係合時（ロ）は非係合時を示す。
【図８】同ヒンジ機構部の動作説明図で（イ）は連結時（ロ）は分離時を示す。
【符号の説明】
１        容器本体
１１      内容器
１２      外容器
１３      貫通孔
１４      樹脂製リング体
１５      折り畳み脚
１６      足板
２        蛇口機構
２１      本体
２１１    挿着管
２１２    注ぎ口
２１３    弁収納部
２２      Ｏリング
２３      止着ナット
２４      弁体
２５      発条
２６      操作レバー
２７      カバー体
３        蓋体
３１      底板
３２      上板
３３      断熱材
３４      凹部
３５      カバー部
３６      コップ
４        回動持ち手
５        ヒンジ機構
５１      受鉤部
５２      ヒンジ軸部
５３      抜け止め部
６        係止機構部
６１      突起
６２      係合凹部
６３      逃げ凹部
【図１】
0003768151.tif 000002
【図２】
0003768151.tif 000003
【図３】
0003768151.tif 000004
【図４】
0003768151.tif 000005
【図５】
0003768151.tif 000006
【図６】
0003768151.tif 000007
【図７】
0003768151.tif 000008
【図８】
0003768151.tif 000009